(57)【要約】【課題】被記録シートに記録する画像の品質を維持しながら、画像シートの画像を読み取るときの読み取り精度を向上させて、かつ装置を小型にする。【解決手段】画像読取記録装置１００は、画像が記録された原稿ＤＰと画像が記録される記録紙Ｐとを上流側及び下流側で搬送する給送ローラ１０及びピンチローラ１６並びに排紙ローラ１７及び拍車１８と、給送ローラ及びピンチローラ並びに排紙ローラ及び拍車との間で原稿の画像を読み取るコンタクトイメージセンサ２２及び記録紙に画像を記録するインクカートリッジ１と、排紙ローラ１７に接離可能で、かつ排紙ローラ１７に原稿を圧接可能なピンチローラ４４１と、を備え、コンタクトイメージセンサは、インクカートリッジ１が記録紙に画像を記録しているとき、記録紙から離れた位置に待機可能であり、かつ原稿を読み取るとき原稿に接近してピンチローラ４４１を排紙ローラ１７に圧接させるようになっている。【選択図】      図２
2004180147.tif 000002
【特許請求の範囲】
【請求項１】
画像が記録された画像シートと画像が記録される被記録シートとを上流側及び下流側で搬送する上流側搬送回転体対及び下流側搬送回転体対と、
前記上流側搬送回転体対と前記下流側搬送回転体対との間で前記画像シートの画像を読み取る画像読取手段と、
前記上流側搬送回転体対と前記下流側搬送回転体対との間で前記被記録シートに画像を記録する画像記録手段と、
前記下流側搬送回転体対の一方の回転体に接離可能で、かつ一方の回転体に前記画像シートを圧接可能な補助回転体と、を備え、
前記画像読取手段は、前記画像記録手段が前記被記録シートに画像を記録しているとき、前記被記録シートから離れた位置に待機可能であり、かつ前記画像シートを読み取るとき前記画像シートに接近して前記補助回転体を前記一方の回転体に圧接させて前記画像シートを読み取ることを特徴とする画像読取記録装置。
【発明の詳細な説明】
【０００１】
【発明の属する技術分野】
本発明は、画像シートの画像を読み取る画像読取手段と、被記録シートに画像を記録する画像記録手段とを備えた画像読取記録装置、特に、画像シートを搬送するときの画像シート搬送力と、被記録シートを搬送するときの被記録シート搬送力とを異ならしめて、被記録シートに記録される画像の品質を維持して、画像の読み取り精度を向上させた画像記録装置に関する。
【０００２】
【従来の技術】
図１３に基づいて、従来の画像読取記録装置の一例であるインクジェット記録方式のファクシミリ装置を説明する。
【０００３】
被記録シートである記録紙Ｐは、記録紙保持部材３０３にユーザによって載置されて、記録紙給紙ローラ３０４と不図示の分離機構とによって、１枚ずつに分離されてファクシミリ装置３０１の装置本体３０１Ａ内に送り込まれる。装置本体３０１Ａ内に送り込まれた記録紙Ｐは、記録紙給送ローラ３０５によって記録部３０６へ搬送されて、インクジェット等の画像記録機構により画像を記録されながら記録紙排出ローラ３０７によって装置本体３０１Ａ外へ矢印Ｂ方向に排出される。
【０００４】
一方、画像シートである原稿Ｄは、原稿保持部材３０８にユーザによって載置されている。原稿束の先端は、原稿分離ローラ３０９と分離片３１３とに突き当たって、原稿分離ローラ３０９と分離片３１３とでくさび形状に形成されている。画像読取命令によって原稿分離ローラ３０９が回転すると、くさび形状に受け止められた原稿のうち、原稿分離ローラ３０９に接する原稿のみ、原稿分離ローラ３０９の摩擦により他のシートから分離されて搬送される。
【０００５】
分離搬送された原稿Ｄは、原稿給送ローラ３１０と原稿排出ローラ３１２及びそれに対向するころ３１４，３１５に挟持されながら搬送されて、コンタクトイメージセンサ３１１などにより原稿の画像情報を読み取られる。そして、原稿は、矢印Ａ方向に装置本体３０１Ａ外へ排出される。
【０００６】
市場の要望等に応じて、上記のファクシミリ装置３０１を小型にしようとすると、記録紙Ｐの搬送に使用している記録紙搬送機構を、原稿を搬送する原稿搬送機構と兼用することが考えられる。すなわち、原稿を搬送するのに使用している原稿給送ローラ３１０、及び原稿排出ローラ３１２、原稿駆動用モータ等を取り外した構成になる。
【０００７】
【発明が解決しようとする課題】
このように、記録紙搬送機構と原稿搬送機構とを兼用した構成の不図示のファクシミリ装置は、小型にできるだけでなく、製造コストも下げることができる。しかし、次のいくつかの課題が生じていた。
【０００８】
すなわち、原稿を読み取る読取搬送路は、原稿を読み取るコンタクトイメージセンサ３１１と、コンタクトイメージセンサ３１１に対向して読取濃度基準になる白基準規定部材３１６とで、主に、構成されている。
【０００９】
ところが、記録紙に画像を記録する記録搬送路と原稿を読み取る読取搬送路とを共通にすると、記録部３０６の上流側あるいは下流側に記録部領域と干渉しない位置の共通搬送路上に、読取搬送路を配置する必要があり、ファクシミリ装置をあまり小型にすることができなかった。
【００１０】
また、ファクシミリ装置を小型にしようとして、記録紙給送ローラ３０５と記録紙排出ローラ３０７と間に読取搬送路を設けて、記録部領域の近傍を共通搬送路にした場合、原稿の画像を確実に読み取ることができないおそれがある。それは、従来のファクシミリ装置において、記録紙Ｐを排出する記録紙排出ローラ３０７の記録紙排出力は、原稿Ｄを排出する原稿排出ローラ３１２の原稿排出力よりも弱いからである。
【００１１】
以下、記録紙排出ローラ３０７の記録紙排出力が、原稿Ｄを排出する原稿排出ローラ３１２の原稿排出力よりも弱い理由を説明する。
【００１２】
すなわち、記録紙は、インクジェットの画像記録機構によって画像が記録された後、その画像のインクが定着しないうちに、排出されることがある。このため、未定着インクの画像を汚さないで記録紙を排出するには、記録紙の画像記録面に接触して記録紙排出ローラ３０７とで記録紙を挟持回転して排出するローラに、記録紙に対して接触面積の少ない拍車３１７を使用している。
【００１３】
通常、拍車３１７は、記録紙との接触面積を極力小さくするため、厚みの薄いプラスチック製あるいは金属製の円板の外周に複数の突起を形状して星形に作られている。しかし、拍車３１７の記録紙排出ローラ３０７への押圧力（拍車圧）は、記録紙の上面に引っ掛け傷等を付けないようにするため、あまり大きくすることができない。そこで、記録紙を確実に排出することのできる記録紙排出力を得るには、拍車の数を多くしなければならない。ところが、拍車の数を増やすのは構造的、物理的に限界があり、コスト高になる。すなわち、記録紙の搬送力と印字画像、記録紙への影響のバランスを取って拍車圧と拍車数とが決定されて、記録紙の排出力は記録紙搬送に影響のない範囲で最小に設定されている。
【００１４】
したがって、従来から、記録紙の後端が記録紙給送ローラ３０５を抜け出て、記録紙排出ローラ３０７と拍車３１７とだけで記録紙を搬送するときには、記録紙の搬送状態が不安定になり、記録紙の後端範囲に記録される画像の品質が悪い場合ある。
【００１５】
一方、原稿排出ローラ３１２に押圧されるころ３１５には、幅（長さ）１０数ｍｍのプラスチック製の円筒状ピンチころが用いられている。しかし、原稿搬送を記録紙搬送と共通にしたため、未定着インクにころ３１５が接触して画像を乱すことになる。このため、円筒状ピンチころは使用することができないので、原稿を排出の場合も拍車３１７で排出することになる。しかし、拍車３１７の記録紙排出ローラ３０７に対する押圧力は、前述したように、ころ３１５の原稿排出ローラ３１２の押圧力よりも弱く設定されている。
【００１６】
以上の理由により、従来、記録紙の排出力は、記録紙の搬送に影響を与えない範囲の弱い値に設定されているため、原稿の排出力より弱い。このため、原稿の後端が記録紙給送ローラ３０５を抜けた後の原稿搬送精度が悪くなり、原稿の後端の読取精度が悪かった。
【００１７】
本発明は、被記録シートに記録する画像の品質を維持しながら、画像シートの画像を読み取るときの読み取り精度を向上させて、かつ装置を小型にした画像読取記録装置を提供することを目的としている。
【００１８】
【課題を解決するための手段】
上記目的を達成するため、本発明の画像読取記録装置は、画像が記録された画像シートと画像が記録される被記録シートとを上流側及び下流側で搬送する上流側搬送回転体対及び下流側搬送回転体対と、前記上流側搬送回転体対と前記下流側搬送回転体対との間で前記画像シートの画像を読み取る画像読取手段と、前記上流側搬送回転体対と前記下流側搬送回転体対との間で前記被記録シートに画像を記録する画像記録手段と、前記下流側搬送回転体対の一方の回転体に接離可能で、かつ一方の回転体に前記画像シートを圧接可能な補助回転体と、を備え、前記画像読取手段は、前記画像記録手段が前記被記録シートに画像を記録しているとき、前記被記録シートから離れた位置に待機可能であり、かつ前記画像シートを読み取るとき前記画像シートに接近して前記補助回転体を前記一方の回転体に圧接させるようになっている。
【００１９】
【発明の実施の形態】
以下、本発明の実施形態の画像読取記録装置を図に基づいて説明する。なお、本実施形態の画像読取記録装置に記載されている構成部品の寸法、材質、形状それらの相対配置などは、特に特定的な記載がない限りは、この発明の範囲をそれらのみに限定する趣旨のものではない。
【００２０】
本発明の実施形態の画像読取記録装置は、被記録シートである例えば記録紙Ｐと、画像が形成された画像シートである例えば原稿Ｄとが搬送される共通の搬送路内に、被記録シートに画像を記録する記録機能を有する画像記録手段の一例である記録部２９と、原稿に記録された画像を読み取る読取機能を有する画像読取手段の一例である読取部２８とを備えて、記録紙Ｐに画像を記録する記録機能と、原稿Ｄの画像を読み取る読取機能とを有している。
【００２１】
なお、被記録シートは、画像を記録されるシートであって、例えば、普通紙、厚紙、オーバヘッドプロジェクタ用の用紙、はがき等がある。また、画像シートは、画像が記録されたシートであって、例えば、原稿、文字、絵、記号等が記載されたシート等がある。
【００２２】
（画像読取記録装置の全体構成）
図１において、被記録シート積載手段である例えば記録紙トレイ８は、ユーザによって記録紙Ｐが積載されるようになっている。画像シート積載手段である例えば原稿トレイ１１は、ユーザによって原稿Ｄが積載されるようになっている。
【００２３】
各トレイ８，１１の搬送方向先端近傍には分離機構を設けてある。この分離機構は、トレイ８，１１にセットされた記録紙Ｐ及び原稿Ｄを１枚ずつに分離して搬送するようになっており、記録紙Ｐ及び原稿Ｄの重送を防止する役目をしている。被記録シート供給手段である例えば記録紙分離ローラ１９は記録紙の分離機構の一部を構成している。画像シート供給手段である例えば原稿分離ローラ１５は原稿の分離機構の一部を構成している。
【００２４】
図８に示すように、記録紙分離ローラ１９は、軸１９ｃに離れて１対のローラ１９ａ、１９ｂが設けられて形成されている。原稿分離ローラ１５は、軸１５ａの中央にローラ１５ｂを設けられて形成されている。記録紙分離ローラ１９の１対のローラ１９ａ、１９ｂは、原稿分離ローラ１５のローラ１５ｂを両側から挟むような位置にある。この配置関係によって、図１１に示すように、記録紙分離ローラ１９の第１、第２ローラ１９ａ、１９ｂと原稿分離ローラ１５のローラ１５ｂとがオーバーラップしていることになり、その分、画像読取記録装置１００を小型にすることができる。また、原稿分離ローラ１５のローラ１５ｂを原稿幅方向の略中央に配置したので原稿の斜行を軽減することができる。
【００２５】
画像読取記録装置１００の記録紙Ｐへの印字動作は、図８におけるベース部材３５の右側面３５ｂを基準にして行われる。右側面３５ｂの記録基準から近い位置（基準より約４３ｍｍ）には、第１ローラ１９ａを配置してある。第２ローラ１９ｂは、原稿分離ローラ１５のローラ１５ｂを挟むように上記記録基準の右側面３５ｂから左側面３５ｂ側へ約１８９ｍｍの位置に配置してある。このため、画像読取記録装置１００は、ハガキからＡ４まで幅広いサイズの記録紙に画像を記録することができるようになっている。
【００２６】
分離された記録紙Ｐ及び原稿Ｄは、上流側搬送回転体対である例えば共通の給送ローラ１０及び排紙ローラ１７によって搬送される。実際には、記録紙Ｐ及び原稿Ｄの後端が給送ローラ１０を抜けた後、後述するように記録紙Ｐの場合、記録紙Ｐは排紙ローラ１７と排紙ローラ１７に対向する複数の拍車１８（図２参照）とに挟まれて排出される。
【００２７】
また、原稿Ｄの場合、原稿Ｄは排紙ローラ１７と排紙ローラ１７に対向する複数の拍車１８（図７参照）及び複数のピンチころ４４１とに挟持されて排出される。このため読取用駆動モータや原稿搬送用機構を別途に設ける必要がなく、画像読取記録装置１００のコストを下げることができる。また、画像読取記録装置１００全体を小型にすることができる。ピンチころ４４１は、補助回転体の一例である。
【００２８】
図１に示す読取部２８は、読取動作時において給送ローラ１０と排紙ローラ１７との間でインクカートリッジ１の移動経路内においてプラテン３に対向するように配置してある。読取部２８は、搬送される原稿Ｄの上面（画像面）を読み取るようになっている。読取部２８は、図２に示すように、後述する記録部２９で記録紙Ｐに画像を記録するとき、白基準２５を把持して、印字面から回動離間して退避できる構成になっているので、記録動作時のインクミスト及びインク漏れによって汚されるようなことがない。読取部２８は、退避するとき、ピンチころ４４１と共に退避して、ピンチころ４４１を排紙ローラ１７から退避させるようになっている。しかも、読取部２８は、読取動作時にインクカートリッジ１が往復移動する位置に配設されているので、画像読取記録を、さらに、小型にすることができる。
【００２９】
以下、各部の構成と動作を説明する。
【００３０】
（記録部）
まず、図２乃至図４に示すように、記録部２９は、給送ローラ１０もしくは排紙ローラ１７で搬送された記録紙にインク画像を記録するようになっている。本実施形態の画像読取記録装置１００の記録部２９は、インクカートリッジ１からインクを吐出して記録紙に画像を記録するインクジェット記録方式を用いている。すなわち、このインクカートリッジ１は微細な液体吐出口（オリフィス）、液路及びこの液路の一部に設けられるエネルギー作用部と、この作用部にある液体に作用させる液滴形成エネルギーを発生するエネルギー発生手段を備えている。
【００３１】
インクジェット記録方式を用いた記録部２９は、小型にすること、ランニングコストを下げることができる。しかし、インクカートリッジ１の液体吐出口からインクが摘出されるときに発生するインクミストによりインクカートリッジ１の周辺にインクが付着して周辺が汚れるため、レイアウトを設計するとき、周囲が汚れないような構造にする必要がある。
【００３２】
このため、コンタクトイメージセンサ２２は、図２に示すように、記録部２９の印字動作中、読取待機位置（ＣＳホルダ２６の第１ポジション）に退避して、印字面から離間するようになっている。さらに、コンタクトイメージセンサ２２の読取面は、白基準２５で覆われている。このような構造によって、インクミストによるコンタクトイメージセンサ２２の汚れが大幅に軽減される。また、読取部２８の読取待機位置は、印字面から離間しているので、例え、記録部２９において記録紙ジャム等が発生しても未定着インクがコンタクトイメージセンサ２２の読取面もしくは白基準２５に付着するようなことがほとんどない。
【００３３】
（キャリッジ）
図３及び図４に示すように、キャリッジ４は、インクジェットカートリッジ１を搭載して記録紙Ｐの幅方向（矢印Ｅ、Ｆ方向）に移動するようになっている。このキャリッジ４には、キャリッジ駆動モータ３３（図１０参照）によって回転するプーリ５に掛け渡された無端ベルト状のタイミングベルト６を連結してある。プーリ５が回転すると、キャリッジ４はガイドレール７に沿って往復移動するようになっている。
【００３４】
キャリッジ４は、通常、ガイドレール７の右端の待機位置（図３の状態）で待機し、インクカートリッジ１の液体吐出口が乾燥しないように、不図示のゴム部材で保護されている。また、キャリッジ４は、読取部２８が原稿Ｄを読み取っているときも、待機位置に留まっている。インクカートリッジ１のインクが無くなったときのインクカートリッジ１の交換は、図３に示すキャッピングポジションでインクカートリッジ１を手前側に取り外すことで行うことができる。
【００３５】
（記録紙供給部）
図２と図８に示すように、記録紙トレイ８は、ユーザによって記録紙Ｐが複数枚積載されて、記録紙Ｐを収納するようになっている。記録紙分離ローラ１９の第１、第２ローラ１９ａ、１９ｂは、プラスチック成型品の軸１９ｃ（図８参照）の２箇所に軸１９ｃの径より大径の円筒部１９ｄに摩擦弾性体１９ｅ（図２参照）を取り付けて形成されている。摩擦弾性体１９ｅは、弾性を有して高摩擦の樹脂製、あるいはゴム製である。記録紙分離ローラ１９の軸１９ｃの両端部は、ベース部材３５に軸支されており、その一方の端部は不図示の駆動伝達機構をへて駆動モータ２０（図１０参照）に連結されている。
【００３６】
また、圧板９（図２参照）は、記録紙分離ローラ１９とベース部材３５との間に位置して、かつベース部材３５に軸１２によって回動自在に軸支されており、記録紙分離ローラ１９に一体に形成された不図示のカムによって、記録紙分離ローラ１９の回転（図２矢印Ｃ方向）にともなって記録紙分離ローラ１９の第１、第２ローラ１９ａ，１９ｂの外周面に圧板９が接触、離反するように構成されている。
【００３７】
記録紙分離ローラ１９の第１、第２ローラ１９ａ，１９ｂの表面は、摩擦弾性体１９ｅの樹脂製、或いはゴム製で形成されている。また第１、第２ローラ１９ａ，１９ｂの断面は、Ｄ字状に形成されている。図１１に示すように記録紙分離ローラ１９は、待機状態でＤ字状の切り欠き部１９ｆが記録紙Ｐと対向して停止し、原稿下ガイド部材２３と記録紙分離ローラ１９との間に隙間Ｓを形成するようになっている。また、記録紙分離ローラ１９は、後述する原稿下ガイド部材２３に形成した切り欠き５０（図８参照）に進入して、原稿下ガイド部材２３の下面から突出して、圧板９に載置された記録紙束の最上位の記録紙Ｐに当接するようなっている。
【００３８】
回転する記録紙分離ローラ１９に接触した記録紙Ｐは、分離爪３１でせき止められるが、記録紙分離ローラ１９との摩擦によりセットされた記録紙Ｐの内、最上位の記録紙Ｐだけ分離爪３１を乗り越えて搬送される。最上位の記録紙Ｐは、給送ローラ１０によって搬送される。
【００３９】
記録紙分離ローラ１９は１回転した後、再び円周から退避した切り欠き部（Ｄカット部）１９ｆが記録紙Ｐから離反し、かつ圧板９が記録紙分離ローラ１９の不図示のカムによって押し下げられた待機状態に戻る。このため、給送ローラ１０が先行の記録紙Ｐを搬送している最中に、記録紙分離ローラ１９が２枚目以降の記録紙Ｐに接して２枚目の記録紙を送り出すことがないので、給送ローラ１０は、記録紙Ｐを安定して搬送することができる。
【００４０】
記録紙分離ローラ１９が、前述の通り給紙動作を開始してもペーパエッジセンサ（ＰＥＳ（Ｐａｐｅｒ  Ｅｄｇｅ  Ｓｅｎｓｏｒ））２１（図２参照）に記録紙Ｐが到達していなければ、再度、給紙動作を行う。それでもＰＥＳ２１がオンにならない場合には、記録紙分離ローラ１９は、記録紙の搬送動作を停止する。そして、不図示の操作パネル等にエラーが表示される。
【００４１】
（記録紙搬送動作）
次に、記録紙の搬送動作を説明する。図２、図８に示すように、記録時の用紙搬送部４９Ｐは、プラテン３と、補助プラテン部材３ａと、給送ローラ１０と、４つのピンチローラ１６と、ピンチローラガイド３６と、排紙ローラ１７と、複数の拍車１８と、拍車ホルダ（不図示）等で構成されている。
【００４２】
給送ローラ１０とピンチローラ１６は、上流側搬送回転体対の一例である。排紙ローラ１７と複数の拍車１８は、下流側搬送回転体対の一例である。排紙ローラ１７は一方の回転体の一例である。拍車１８は、他方の回転体の一例である。
【００４３】
プラテン３は、記録紙搬送路の下側で記録紙の下面を支持する支持面として配設してある。補助プラテン部材３ａは、プラテン３の記録紙支持面に形成された凹部に配置されて、プラテン３に続いて記録紙Ｐの下面を支持する支持面として配設してある。給送ローラ１０は、プラテン３に軸支されている。４つのピンチローラ１６は、記録紙の幅方向（記録紙の搬送方向に対して交差する方向）に沿って、給送ローラ１０に併設されている。ピンチローラガイド３６は、ピンチローラ１６を給送ローラ１０に圧接するように、ピンチローラ１６を軸支している。排紙ローラ１７は、プラスチックとエラストマーとで一体成型された成型品である。複数の拍車１８は、排紙ローラ１７に当接している。拍車ホルダ（不図示）は、排紙ローラ１７に拍車１８を圧接するように拍車１８を軸支している。
【００４４】
上述した拍車１８の数と、拍車１８を排紙ローラ１７に付勢する付勢力（拍車圧）は、記録画像の未定着インクを拍車１８によって汚さないように、適正な数、適正な拍車圧に設定してある。本実施形態の画像読取記録装置１００は、拍車１８は、図６に示すように、記録紙Ｐの幅方向に８個配設してある。また、プラテン３の記録紙支持面には記録紙の幅方向に複数のリブ３８（図５乃至図８参照）を形成してある。リブ３８の上面は、記録紙Ｐが通過するようになっている。
【００４５】
補助プラテン部材３ａは、両側面の用紙搬送方向上流側に形成された軸をプラテン３に形成された支持部で軸支されて、プラテン３の記録紙支持面と補助プラテン部材３ａの記録紙支持面が同一平面になるように補助プラテン部材３ａの裏面をばね５８で付勢されており、付勢力に抗して上部より押された場合、プラテン３の記録紙支持面に対して５ｍｍ程度沈み込むようになっている。
【００４６】
給送ローラ１０とピンチローラ１６とによる搬送方向は、給送ローラ１０の上流側から下流側に向けて斜め下方向に向けた下り勾配に設定してある。また、排紙ローラ１７と拍車１８による搬送方向は、排紙ローラ１７の上流側から下流側に向けて斜め上方向に向けた昇り勾配に設定してある。これにより用紙搬送部４９ｐによって搬送される記録紙Ｐは、プラテン３の記録紙支持面及び補助プラテン部材３ａの記録紙支持面に案内されて矢印Ｋ方向へ搬送される。
【００４７】
給送ローラ１０とピンチローラ１６で発生する記録紙搬送力Ｆ０は、原稿下ガイド部材２３の裏面と記録紙Ｐとの摩擦抵抗力を無視できるほど大きいが、記録紙送り精度に影響が出る場合には、原稿下ガイド部材２３の裏面に高分子シート等の低摩擦部材を貼付するのが好ましい。記録紙への記録動作は、前述の通りキャリッジ４が往復移動しながらインクカートリッジ１から画像情報に応じてインクを吐出して行われる。
【００４８】
（原稿給紙部）
次に、図１、図５乃至図８、図１０に基づいて原稿給紙部３２について説明する。原稿トレイ１１は、ユーザによって複数枚の原稿Ｄが積載されて収納されるようになっている。図９に示すように、原稿トレイ１１には、原稿の斜行を防止する原稿スライダ３０を設けてある。原稿スライダ３０は、原稿Ｄの幅に合わせて移動することができるようになっている。
【００４９】
図１１に示すように、原稿分離ローラ１５は、矢印Ｍの方向に回転して、原稿トレイ１１にセットされた原稿Ｄを搬送するようになっている。原稿分離ローラ１５は、金属で成形された軸１９ｃに円筒状の摩擦弾性部材からなるローラ１５ｂを取付けられて成形されている。原稿分離ローラ１５の軸１９ｃの両端部は、ベース部材３５の側板３５ａ、３５ｂに回転自在に軸支されている。軸１９ｃの一方の端部は、不図示の読取駆動伝達機構及び駆動切替機構５２（図５乃至図７参照）を介して駆動モータ２０（図１０）に連結されている。
【００５０】
図８、図１１に示す分離片１３は、原稿下ガイド部材２３に回動自在に軸支された分離片支持部材３７に保持されている。分離片１３は、ゴムなどの摩擦係数の高い材料を使用しており、不図示の分離ばねによって原稿分離ローラ１５に付勢されている。
【００５１】
原稿搬送補助部材２７は、原稿分離ローラ１５に原稿Ｄを押し付けて原稿分離ローラ１５の原稿分離動作を補助するようになっている。原稿トレイ１１にセットされた原稿Ｄの先端は、分離片１３と原稿分離ローラ１５とによって形成されるくさび形状の部分に留まっており、くさび形状に留められた原稿Ｄのうち、最上位の原稿のみ原稿分離ローラ１５の摩擦により搬送される。
【００５２】
分離された原稿Ｄは、下面を原稿下ガイド部材２３に支持されて、記録紙Ｐと同様にＰＥＳ２１（図１参照）へ向かって搬送される。このとき、記録紙分離ローラ１９の回転方向の位相は、初期状態になっている。すなわち、記録分離ローラ１９の切り欠き部１９ｆが、原稿に対向しており、記録分離ローラ１９の切り欠き部１９ｆと原稿下ガイド部材２３との間には、原稿が１枚だけ通過するのに充分な隙間Ｓが生じている。
【００５３】
図１１に示す原稿上ガイド部材１４は短冊状に成形されている。原稿上ガイド部材１４の原稿搬送方向の上流側は原稿分離ローラ１５の軸１５ａに軸支され、下流側は原稿Ｄによって押されたとき、原稿上ガイド部材１４の上面１４ａの部分が記録紙分離ローラ１９の軸１９ｃに当接して回転規制されている。原稿上ガイド部材１４の上面１４ａが軸１９ｃに当接した状態で、原稿上ガイド部材１４のガイド面１４ｂは、記録紙分離ローラ１９の切り欠き部１９ｆよりも、原稿側に突出している。これにより、原稿Ｄが記録紙分離ローラ１９の摩擦弾性体１９ｅに接触して搬送不良になるのを防止している。図１に示すＰＥＳ２１を通過した原稿Ｄは、記録紙Ｐと同様に給送ローラ１０とピンチローラ１６とによって、挟持搬送されてプラテン３に到達する。
【００５４】
（読取部）
図１２に基づいて読取部２８を説明する。読取部２８は、コンタクトイメージセンサ（以下、「ＣＳ」という）２２とコンタクトイメージセンサホルダ（以下、「ＣＳホルダ」という）２６と白基準２５等で構成されている。ＣＳ２２は、ＣＳホルダ２６に成形された凹部に、センサ面が外側になるように収容されて、ねじ（締結部材）で固定されている。
【００５５】
白基準２５は、金属板に白色のシートを取り付けて形成されている。金属板は、白色シートを取り付ける平面と長手方向両端部を折り曲げて形成された両側板とで構成されている。両側板には孔を形成してある。この孔に、ＣＳホルダ２６に形成された軸が係合している。白基準２５は、上記孔が軸に係合することによって、ＣＳホルダ２６及びＣＳ２２に対して回転自在に支持された状態で、不図示のねじりコイルばねによってＣＳ２２側に付勢されている。
【００５６】
また、白基準２５は、ＣＳ２２側に付勢された状態で、ＣＳ２２のセンサ面と白基準２５の白色シートとの間に少なくとも１枚の原稿が通過することができるように、原稿幅方向の外側に突起を有している。白基準２５は、この突起によってＣＳ２２のセンサ面との間に隙間を形成している。白基準２５は、不図示のねじりコイルばねによって付勢されているため、ＣＳ２２と対向している第１ポジション（正規位置、図１、図２に示す状態）と、ねじりコイルばねに抗してＣＳ２２から離れる方向に回転された第２ポジション（清掃ポジション、図１０に示す状態）とを取るようになっている。記録部２９のインクによって白基準２５の白色シートあるいはＣＳ２２の読取面が汚れた場合、白基準２５は、第２ポジションにおいて、ユーザが汚れた部分を清掃できるようになっている。
【００５７】
図５乃至図８、図１２に示すように、ＣＳホルダ２６の長手方向の右側面には中空のボス４２１を形成してある。プラテン３に取り付けられたＣＳホルダ支持部材６８には、ボス４３１を成形してある。ボス４３１は中空ボス４２１に係合している。また、ＣＳホルダ２６の左側面にはボス４２２を形成してある。このボス４２２は、プラテン３に成形した軸受部４３２に係合している。ボス４２１，４３１，４２１と軸受部４３２との左右の係合部が同軸線上に位置してあるので、ＣＳホルダ２６は、図２乃至図４に示すＣＳホルダ２６の第１ポジション（読取待機位置）から、図１、図５、図１２に示すＣＳホルダ２６の第２ポジション（読取位置）に回転できるようになっている。
【００５８】
ＣＳホルダ２６の第１ポジション（読取待機位置）は、記録部２９のキャリッジ４とこのキャリッジ４に取り付けられたインクカートリッジ１とが移動範囲内を移動して記録紙に画像を記録するとき、ＣＳホルダ２６がキャリッジ４とインクカートリッジ１とに接触しない位置である。
【００５９】
また、ＣＳホルダ２６の第２ポジション（読取位置）は、キャリッジ４の移動空間内であって、ＣＳ２２の読取面と白基準２５との隙間で形成される原稿読取搬送路と記録時の用紙搬送部４９Ｐで形成される記録紙搬送路と一致するまで回転させた位置である。
【００６０】
また、用紙排出方向から見たときに、インクカートリッジ１がキャッピングポジション（キャリッジ移動範囲内の右端の位置）にある状態でＣＳホルダ２６が第２ポジションに移動できるように、ＣＳホルダ２６の左右方向の位置が設定されている。
【００６１】
白基準２５の金属板の用紙搬送方向上流側は、櫛歯状に形成してある。櫛歯の歯と歯との間にプラテン３のリブ３８が入るようになっている。また、白基準２５の金属板の用紙搬送方向の下流側には、白基準２５の長手方向を補強する曲げ部を形成してある。曲げ部は、上述した回転可能に支持された補助プラテン部材３ａをばね５８の付勢力に抗して押し下げて、ＣＳホルダ２６の第２ポジションを形成するようになっている。なお、曲げ部が補助プラテン部材３ａを押し下げる代わりに、ＣＳホルダ２６の一部で、補助プラテン部材３ａを押し下げてもよい。あるいは、ＣＳ２２の一部分が、直接、補助プラテン部材３ａに当接して補助プラテン部材３ａを押し下げるようにしてもよい。
【００６２】
図１２に示す、ＣＳホルダ２６のＣＳ２２の下流側には、複数のピンチころ４４１がばね４４２によって排紙ローラ１７に付勢されるように配設されている。このピンチころ４４１は、拍車１８と同一の中心位置、外形寸法に形成されている。図７で示すように、ピンチころ４４１は、原稿Ｄの幅方向で拍車１８の間に配列されている。本実施形態の拍車１８とピンチころ４４１は、原稿Ｄを７個の拍車１８と３個のピンチころ４４１で排出するようになっている。
【００６３】
図１２に示すように、原稿の読取時の用紙搬送部４９ｒは、２点鎖線で示すように給送ローラ１０と排紙ローラ１７との間で、原稿読取搬送路が記録紙搬送路とほぼ一致する位置にあるときに形成されて、記録時の用紙搬送部４９Ｐとほぼ一致している。そして、原稿Ｄの後端が給送ローラ１０を抜けた後の排紙ローラ１７による原稿Ｄの搬送力は、ばね４４２によって付勢される拍車１８及びピンチころ４４１によって、記録紙Ｐの搬送力より増えて、原稿搬送精度が安定している。
【００６４】
図５乃至図７、図１０に示すように、ＣＳホルダ２６の紙幅方向の左側には、駆動切替機構５２、及びコンタクトイメージセンサ駆動伝達機構（以下、「ＣＳ駆動伝達機構」と言う）７３を介して駆動モータ２０に連結されたコンタクトイメージセンサ駆動部（以下、「ＣＳ駆動部」と言う）７４を配置してある。駆動モータ２０は、ＣＳ駆動伝達機構７３を作動させて、ＣＳホルダ２６をＣＳホルダ２６の第１ポジションあるいはＣＳホルダ２６の第２ポジションへ回転させるようになっている。
【００６５】
次に、読取部２８の読取動作を説明する。図２に示すように、ＣＳホルダ２６は、画像読取記録装置のスタンバイ状態において、ＣＳホルダ２６の第１ポジション（読取待機位置）に保持されるように、不図示のねじりコイルばね（弾性部材）によって、反時計方向に付勢されている。原稿Ｄがセットされた状態で原稿の読取動作が開始されると、まず、図５、図１０に示す、駆動切替機構５２によって駆動モータ２０の駆動が読取モードに切替られる。
【００６６】
駆動モータ２０は、前述の通りＣＳ駆動伝達機構７３を介して原稿分離ローラ１５を回転させて、原稿給紙動作を開始するとともに、ＣＳ駆動伝達機構７３を介してＣＳ駆動部７４を作動させてＣＳホルダ２６の移動を開始する。
【００６７】
ＣＳホルダ２６は、ＣＳ駆動伝達機構７３とＣＳ駆動部７４のギア比、及びローラ径を調節して、原稿Ｄが給送ローラ１０に到達する前に、第２ポジション（読取位置）に移動するようになっている。ＣＳホルダ２６が第２ポジションに移動すると、ＣＳ駆動部７４とＣＳ駆動伝達機構７３を連結しているクラッチが切れて、ＣＳホルダ２６は停止する。同時に、白基準２５の一部分が補助プラテン部材３ａを押し下げて、給送ローラ１０と排紙ローラ１７との間に原稿読取搬送路を形成する。さらに、ピンチころ４４１が原稿幅方向で拍車１８の間に移動して、排紙ローラ１７がばね４４２によって付勢されるので、ピンチころ４４１及び拍車１８と排紙ローラ１７とで原稿を排出する排出力を、拍車１８と排紙ローラ１７とで記録紙を排出する排出力よりも、強くすることができる。
【００６８】
給送ローラ１０に到達した原稿Ｄは、給送ローラ１０に搬送されて原稿読取搬送路を通過するとともにＣＳ２２によって画像データを読み取られて排紙ローラ１７によって装置外に排出される。原稿Ｄの最後端が読み取られて排紙ローラ１７によって装置外に排出されると、駆動モータ２０が逆転する。すると、ＣＳ駆動部７４とＣＳ駆動伝達機構７３とがクラッチにより連結されて、ＣＳホルダ２６は第１ポジションに移動し、読取駆動切替機構５２は解除される。同時に、補助プラテン部材３ａがばね５８の付勢力に押し上げられて、補助プラテン部材３ａの記録紙支持面とプラテン３の記録紙支持面とが同一平面になり記録時の用紙搬送部４９Ｐが形成されて記録紙搬送路が形成される。さらに、ピンチころ４４１は、ＣＳホルダ２６と一緒に退避するので、記録紙の搬送時に記録紙上面に干渉することがなく、記録紙に対する記録画像へ影響を及ぼすことはない。
【００６９】
本実施形態の画像読取記録装置は、ピンチころ４４１をＣＳホルダ２６に設けてあるが、他の実施形態の位置として、拍車１８を軸支する拍車ホルダにピンチころ４４１を設けて、ばねでピンチころ４４１の軸を搬送路から退避する方向に付勢させて、記録時には記録紙に干渉しない位置に退避させ、読取時にはＣＳホルダ２６の突起部が拍車ホルダに当接し、ばねの付勢力に抗してピンチころ４４１を排紙ローラ１７に付勢するようにしてもよい。この場合にも、読取時のみ原稿の排出力をアップさせることができる。
【００７０】
なお、記録紙トレイ８、原稿トレイ１１、原稿分離ローラ１５、記録紙分離ローラ１９は、必ずしも必要としない。記録紙と原稿を手差しによって給送ローラ１０とピンチローラ１６との間に供給してもよい。
【００７１】
以下、本発明の実施態様を列挙する。
【００７２】
［実施態様１］  画像が記録された画像シートと画像が記録される被記録シートとを上流側及び下流側で搬送する上流側搬送回転体対及び下流側搬送回転体対と、前記上流側搬送回転体対と前記下流側搬送回転体対との間で前記画像シートの画像を読み取る画像読取手段と、前記上流側搬送回転体対と前記下流側搬送回転体対との間で前記被記録シートに画像を記録する画像記録手段と、前記下流側搬送回転体対の一方の回転体に接離可能で、かつ一方の回転体に前記画像シートを圧接可能な補助回転体と、を備え、前記画像読取手段は、前記画像記録手段が前記被記録シートに画像を記録しているとき、前記被記録シートから離れた位置に待機可能であり、かつ前記画像シートを読み取るとき前記画像シートに接近して前記補助回転体を前記一方の回転体に圧接させて前記画像シートを読み取ることを特徴とする画像読取記録装置。
【００７３】
実施態様１の画像読取記録装置は、下流側搬送回転体対で画像シートを挟持しかつ回転して搬送するとき、その画像シートを下流側搬送回転体対の一方の回転体と補助回転体とでも挟持しかつ回転して搬送するので、被記録シートを下流側搬送回転体対だけで搬送するのと比較して、画像シートの搬送力を高めることができる。このことによって、画像シートを安定した状態で搬送して、画像読取手段に画像シートの画像を確実に読ませることができて、被記録シートに記録される画像の品質を維持し、かつ画像の読み取り精度を向上させることができる。
【００７４】
また、読取搬送経路を記録搬送経路と共用することができて、原稿の搬送精度を高めることができる。
【００７５】
［実施態様２］  前記下流側搬送回転体対の一方の回転体と前記補助回転体は、同一の回転軸線上に配列されていることを特徴とする実施態様１に記載の画像読取記録装置。
【００７６】
実施態様２の画像読取記録装置は、下流側搬送回転体対の一方の回転体と補助回転体とが同一の回転軸線上に配列されているので、一方の回転体と補助回転体とが１つの回転体と同様な状態で他方の回転体に接触するので、他方の回転体に画像シートを巻き付かせるようなことがなく、円滑に排出することができる。仮に、一方の回転体と補助回転体とが同一の回転軸線上に配列されていないとすると、一方の回転体と補助回転体とが他方の回転体に対して回転方向に位置がずれて、他方の回転体に画像シートを巻き付かせ、画像シートを円滑に搬送することができなくなる。
【００７７】
［実施態様３］  前記下流側搬送回転体対の一方の回転体は拍車であり、前記補助回転体はローラであることを特徴とする実施態様１又は２に記載の画像読取記録装置。
【００７８】
実施態様３の画像読取記録装置は、被記録シートを搬送するとき補助回転体を使用しないため、一方の回転体が拍車である下流側搬送回転体対で搬送するため、画像記録手段が被記録シートに形成した画像に損傷を与えることが少なくなる。また、補助回転体がローラであるので、画像シートの搬送力を確実に高めることができる。
【００７９】
［実施態様４］  前記補助回転体は、前記画像読取手段に設けられて、前記画像読取手段が前記画像に接近したとき、前記画像読取手段によって前記一方の回転体に圧接されることを特徴とする実施態様１乃至３のいずれか１つに記載の画像読取記録装置。
【００８０】
実施態様４の画像読取記録装置は、補助回転体が画像読取手段に設けられているので、画像読取手段を画像シートに接近さて画像シートの画像を読み取るとき、自ずと、補助回転体が下流側搬送回転体対の一方に圧接させて、画像シートを搬送するときの搬送力を確実に高めることができる。
【００８１】
［実施態様５］  前記補助回転体は、固定部材に設けられて、前記画像読取手段が前記画像に接近したとき、前記画像読取手段によって前記一方の回転体に圧接されることを特徴とする実施態様１乃至３のいずれか１つに記載の画像読取記録装置。
【００８２】
実施態様５の画像読取記録装置は、補助回転体を画像読取手段に設けないで、固定部材に設けてあるので、画像読取手段を軽量にすることができて、その分、画像シートに対しての画像読取手段の接近離間動作を円滑に行うことができる。また、画像読取手段を画像シートに接近させて画像シートの画像を読み取るとき、画像読取手段が、下流側搬送回転体対の一方に補助回転体を圧接させて、画像シートを搬送するときの搬送力を確実に高めることができる。
【００８３】
［実施態様６］  前記画像読取手段が前記画像シートを読み取る位置と、前記画像記録手段が前記被記録シートに画像を記録する位置とがほぼ同じ位置であることを特徴とする実施態様１，４，５のいずれか１つに記載の画像読取記録装置。
【００８４】
実施態様６の画像読取記録装置は、画像読取手段が画像シートを読み取る位置と、画像記録手段が被記録シートに画像を記録する位置とがほぼ同じ位置であるので、装置を小型にすることができる。
【００８５】
［実施態様７］  前記画像シートが積載される画像シート積載手段と、前記画像シート積載手段に積載された前記画像シートを供給する画像シート供給手段と、前記被記録シートが積載される被記録シート積載手段と、前記被記録シート積載手段に積載された前記被記録シートを供給する被記録シート供給手段と、を備えたことを特徴とする実施態様１乃至６のいずれか１つに記載の画像読取記録装置。
【００８６】
［実施態様８］  前記画像記録手段は、前記被記録シートにインクを吐出して画像を記録するインクジェット方式であることを特徴とする実施態様１又は６に記載の画像読取記録装置。
【００８７】
実施態様８の画像読取記録装置は、画像記録手段がインクジェット方式であるので、画像記録手段を小型にすることができて、ランニングコストを下げることができる。
【００８８】
［実施態様９］  前記画像記録手段は、前記被記録シートの搬送方向に対して直交する方向に往復移動して前記被記録シートに画像を記録するシリアルタイプの記録方式であることを特徴とする実施態様１，６，８のいずれか１つに記載の画像読取記録装置。
【００８９】
実施態様９の画像読取記録装置は、画像記録手段がシリアルタイプの記録方式であるので、装置をさらに小型にすることができる。
【００９０】
【発明の効果】
本発明の画像読取記録装置は、読取搬送経路を記録搬送経路と共用することができて、原稿の搬送精度を高めることができる。
【００９１】
また、下流側搬送回転体対で画像シートを挟持しかつ回転して搬送するとき、その画像シートを下流側搬送回転体対の一方の回転体と補助回転体とでも挟持しかつ回転して搬送するので、被記録シートを下流側搬送回転体対だけで搬送するのと比較して、画像シートの搬送力を高めて、画像シートを安定した状態で搬送することができる。このことによって、画像読取手段に画像シートの画像を確実に読ませることができて、被記録シートに記録される画像の品質を維持し、かつ画像の読み取り精度を向上させることができる。
【図面の簡単な説明】
【図１】本発明の実施形態の画像読取記録装置の記録紙、原稿の搬送方向に沿ってカットした画像読取記録装置の断面図である。
【図２】図１の画像読取記録装置において、記録紙に画像を記録している状態を示す図である。
【図３】図１の画像読取記録装置において、記録紙に画像を記録しているときの読取部の位置を示す斜視図である。
【図４】図１の画像読取記録装置において、記録紙に画像を記録しているときの読取部の位置と記録紙の流れを示す斜視図である。
【図５】図１の画像読取記録装置において、記録紙に画像を記録しているときの読取部の位置と原稿の流れを示す斜視図である。
【図６】図１の画像読取記録装置において、画像を記録しているときの記録紙の排出に係わる拍車の位置を示す平面図である。
【図７】図１の画像読取記録装置において、画像を読み取っているときの原稿の排出に係わる拍車及びピンチころの位置を示す平面図である。
【図８】図１の画像読取記録装置において、記録紙及び原稿の給紙系に関する構成を示す斜視図である。
【図９】図１の画像読取記録装置において、原稿保持部を示す斜視図である。
【図１０】図１の画像読取記録装置において、モータの配置と、離反状態の白基準とを示す斜視図である。
【図１１】図１の画像読取記録装置において、原稿が積載された状態での原稿と記録紙とを分離して供給する部分の構成を示す装置断面図である。
【図１２】図１の画像読取記録装置において、読取部を通過する原稿の搬送経路を示す断面図である。
【図１３】従来の画像読取記録装置の記録紙、原稿の搬送方向に沿ってカットした画像読取記録装置の断面図である。
【符号の説明】
Ｐ      記録紙（被記録シート）
Ｄ      原稿（画像シート）
Ｓ      隙間
１      インクカートリッジ
３      プラテン
３ａ    補助プラテン部材
４      キャリッジ
８      記録紙トレイ（被記録シート積載手段）
９      圧板
１０      給送ローラ（上流側搬送回転体対）
１１      原稿トレイ（画像シート積載手段）
１４      原稿上ガイド部材
１５      原稿分離ローラ（画像シート供給手段）
１６      ピンチローラ（上流側搬送回転体対）
１７      排紙ローラ（下流側搬送回転体対、一方の回転体）
１８      拍車（下流側搬送回転体対、他方の回転体）
１９      記録紙分離ローラ（被記録シート供給手段）
２８      読取部（画像読取手段）
２９      記録部（画像記録手段）
３２      原稿給紙部
４９ｐ    記録時の用紙搬送部
４９ｒ    読取時の用紙搬送部
１００      画像読取記録装置
４４１      ピンチころ（補助回転体）
４４２      ばね
【図１】
2004180147.tif 000003
【図２】
2004180147.tif 000004
【図３】
2004180147.tif 000005
【図４】
2004180147.tif 000006
【図５】
2004180147.tif 000007
【図６】
2004180147.tif 000008
【図７】
2004180147.tif 000009
【図８】
2004180147.tif 000010
【図９】
2004180147.tif 000011
【図１０】
2004180147.tif 000012
【図１１】
2004180147.tif 000013
【図１２】
2004180147.tif 000014
【図１３】
2004180147.tif 000015